(57)【要約】【課題】オーバーフロー部からハウジング内に虫が侵入するのを防ぐとともに、撹拌装置の撹拌モータから冷却水槽内の冷却水に漏電しても外側に伝わらないようにする。【解決手段】飲料冷却装置１０は、冷却水槽２０内の所定の水位を超える冷却水を溢出させて排水するオーバーフロー部４０を備え、オーバーフロー部４０は、冷却水槽２０の上部から下側に延びて所定の水位を超えて溢出する冷却水を下側に流す溢出口４１ａと、溢出口４１ａから流れる冷却水を下側に流す内側管部４３ａと、内側管部４３ａの外周部に設けたフランジ部４３ｂと、フランジ部４３ｂから内側管部４３ａの外周面及び下縁と離間した状態で内側管部４３ａの外側を覆うように下側に延びる外側管部４４ａとを備えた。【選択図】図４
2020019498.tif 000002
【特許請求の範囲】
【請求項１】
ハウジング内に設けられて冷却水を貯える冷却水槽と、
前記冷却水槽内に配設されて飲料を冷却する飲料冷却管と、
前記冷却水槽内の冷却水を撹拌する撹拌装置と、
前記冷却水槽内の所定の水位を超える冷却水を溢出させて排水するオーバーフロー部とを備えた飲料冷却装置であって、
前記オーバーフロー部は、前記冷却水槽の上部に配置されて所定の水位を超えて溢出する冷却水を下側に流す溢出口と、前記溢出口から流れる冷却水を下側に流す内側管部と、前記内側管部の外周部に設けたフランジ部と、前記フランジ部から前記内側管部の外周面及び下端と離間した状態で前記内側管部の外側を覆うように下側に延びる外側管部とを備えたことを特徴とする飲料冷却装置。
【請求項２】
請求項１に記載の飲料冷却装置において、
前記冷却水槽の上部に前記溢出口から下側に延びる溢出管部を設け、
前記内側管部を前記溢出管部の下部に連通接続させるとともに、前記内側管部の外周面に前記フランジ部を一体的に形成し、
前記外側管部の上端部を前記フランジ部に嵌合固定するとともに、前記外側管部の下部に冷却水を前記ハウジングの外側に排出する排水管部を連通接続したことを特徴とする飲料冷却装置。
【発明の詳細な説明】
【技術分野】
【０００１】
本発明は、ビール等の飲料を注出する前に冷却する飲料冷却装置に関する。
【背景技術】
【０００２】
特許文献１にはビール等の飲料を注出する前に冷却する飲料冷却装置が開示されている。この飲料冷却装置は、ハウジング内に設けられて冷却水を貯える冷却水槽と、冷却水槽の内周面に沿って配設された冷凍装置の蒸発器と、冷却水槽内にて蒸発管の内側に配設されて飲料を冷却する飲料冷却管と、冷却水槽内の冷却水を撹拌する撹拌装置とを備えている。この飲料冷却装置では、冷却水槽内の冷却水は冷凍装置の蒸発器で冷媒が蒸発するときの気化熱によって冷却されて蒸発器の周囲で凍結し、飲料冷却管を通過する飲料は撹拌装置により撹拌される冷却水によって冷却されている。冷却水槽内の冷却水は周囲の空気に含まれる水分が冷却水により冷却されて凝縮するために増加することがある。このため、冷却水槽には所定の水位を超える冷却水を排水するオーバーフロー管が設けられており、冷却水槽内の冷却水は所定の水位を超えるとオーバーフロー管から排出される。
【先行技術文献】
【特許文献】
【０００３】
【特許文献１】特開２００５−０１６８２０号公報
【発明の概要】
【発明が解決しようとする課題】
【０００４】
特許文献１に記載の飲料注出装置においては、オーバーフロー管には冷却水が常に流れているわけでないため、オーバーフロー管の排水口から流入した虫がオーバーフロー管の内周面に沿って登ってハウジング内に侵入するおそれがあった。また、冷却水槽内の冷却水がオーバーフロー管から排出されているときに、冷却水はオーバーフロー管の内周面に沿って連続した状態で流れ落ち、撹拌装置の撹拌モータから冷却水槽内の冷却水に漏電したときに、漏電により冷却水槽内の冷却水に流れた電流がオーバーフロー管の内周面に沿って連続した状態で流れ落ちる冷却水を伝って金属製のハウジング及び他の外側に配置される部品に伝わるおそれがあった。本発明は、オーバーフロー部からハウジング内に虫が侵入するのを防ぐとともに、撹拌装置の撹拌モータから冷却水槽内の冷却水に漏電しても外側に伝わらないようにすることを目的とする。
【課題を解決するための手段】
【０００５】
本発明は上記課題を解決するため、ハウジング内に設けられて冷却水を貯える冷却水槽と、冷却水槽内に配設されて飲料を冷却する飲料冷却管と、冷却水槽内の冷却水を撹拌する撹拌装置と、冷却水槽内の所定の水位を超える冷却水を溢出させて排水するオーバーフロー部とを備えた飲料冷却装置であって、オーバーフロー部は、冷却水槽の上部に配置されて所定の水位を超えて溢出する冷却水を下側に流す溢出口と、溢出口から流れる冷却水を下側に流す内側管部と、内側管部の外周部に設けたフランジ部と、フランジ部から内側管部の外周面及び下端と離間した状態で内側管部の外側を覆うように下側に延びる外側管部とを特徴とする飲料冷却装置を提供するものである。
【０００６】
上記のように構成した飲料冷却装置においては、オーバーフロー部は、冷却水槽の上部に配置されて所定の水位を超えて溢出する冷却水を下側に流す溢出口と、溢出口から流れる冷却水を下側に流す内側管部と、内側管部の外周部に設けたフランジ部と、フランジ部から内側管部の外周面及び下縁と離間した状態で内側管部の外側を覆うように下側に延びる外側管部とを備えている。外側管部内に流入した虫が外側管部の内周面に沿って上側に登ったときに、外側管部の内周面の上縁は内側管部の下縁と接続されることなくフランジ部で止まっているため、外側管部の内周面に沿って登った虫は内側管部に沿って侵入できなくなる。このように、オーバーフロー部からハウジング内に虫が侵入するのを防ぐことができた。
【０００７】
また、冷却水槽内の冷却水がオーバーフロー部から排出されたときに、内側管部の下縁が外側管部に離間しているために、冷却水は内側管部から外側管部に連続していない状態で流れ落ちる。このため、冷却水槽内の冷却水に撹拌装置の撹拌モータから漏電により電流が流れても、冷却水槽内の冷却水に漏電により流れた電流がオーバーフロー部の冷却水によって外側に伝わらないようにすることができた。
【０００８】
上記のように構成した飲料冷却装置においては、冷却水槽の上部に溢出口から下側に延びる溢出管部を設け、内側管部を溢出管部の下部に連通接続させるとともに、内側管部の外周面にフランジ部を一体的に形成し、外側管部の上端部をフランジ部に嵌合固定するとともに、外側管部の下部に冷却水をハウジングの外側に排出する排水管部を連通接続するのが好ましい。
【図面の簡単な説明】
【０００９】
【図１】本発明の飲料冷却装置の一実施形態である飲料ディスペンサを示す斜視図である。
【図２】図１の前後方向に沿った縦方向断面図である。
【図３】冷却水槽の斜視図である。
【図４】冷却水槽の溢出管部にアダプタと排水管部とを組み付けた状態の縦方向断面図である。
【発明を実施するための形態】
【００１０】
以下に、本発明による飲料冷却装置の一実施形態である飲料ディスペンサを図面を参照して説明する。図１及び図２に示したように、本実施形態の飲料ディスペンサ１０は、ビール等の飲料を注出する前に冷却するものであり、ハウジング１１内に設けられて冷却水を貯える冷却水槽２０と、冷却水槽２０内に配設されて飲料を冷却する飲料冷却管２２と、冷却水槽２０内の冷却水を撹拌する撹拌装置２３と、ハウジング１１の前面に設けられて飲料冷却管２２により冷却された飲料を注出する注出コック５０とを備えている。
【００１１】
図１及び図２に示したように、ハウジング１１は略直方体形状をし、ハウジング１１内の前半部には冷却水槽２０が収容され、ハウジング１１の後半部は冷却水槽２０内の冷却水を冷却する冷凍装置３０を収容する機械室１２となっている。図２に示したように、冷却水槽２０は飲料を冷却するものであり、冷却水槽２０内には飲料を冷却するための冷却水が貯えられている。冷却水槽２０は上側が開口した略直方体形状をし、冷却水槽２０の外周面には断熱材２１が設けられている。断熱材２１は発泡材を所定の厚みで冷却水槽２０の外側を覆うようにしたものであり、断熱材２１は冷却水槽２０内の冷熱がハウジング１１に伝わるのを抑制する機能を有している。
【００１２】
図２に示したように、冷却水槽２０内の前後左右の側壁内面には後述する冷凍装置３０の蒸発管３３が配設されており、蒸発管３３は上下方向を螺旋の進行方向となるように螺旋状に配設されている。冷凍装置３０は、冷却水槽２０内の冷却水を冷却するものである。冷凍装置３０は、冷媒を圧縮する圧縮機３１と、圧縮した冷媒ガスを冷却する凝縮器３２と、液化冷媒を膨張させるキャピラリチューブ（図示省略）と、冷却水槽２０の内周面に螺旋状に巻回されて膨張させた液化冷媒を気化させて冷却水を冷却する蒸発管３３とを備え、これらを連結して冷媒が循環する冷媒回路を構成している。冷凍装置３０は、圧縮機３１の作動によって冷媒回路の冷媒を循環させることにより、冷却水槽２０内にて蒸発管３３の周囲の冷却水を冷却し、蒸発管３３の周囲に所定の厚みの氷を形成させている。
【００１３】
図２に示したように、冷却水槽２０内には螺旋状の蒸発管３３の内側に飲料冷却管２２が配設されており、飲料冷却管２２は上下方向を螺旋の進行方向となるように螺旋状に配設されている。飲料冷却管２２の導入端部はハウジング１１の外部に設けた図示しないビア樽等の飲料容器から導出した飲料ホースに接続されており、飲料冷却管２２の導出端部は後述するコック取付軸５１を介して注出コック５０に接続されている。
【００１４】
図２に示したように、冷却水槽２０には撹拌装置２３が設けられており、撹拌装置２３は冷却水槽２０内に配置した撹拌羽根２３ｄを回転させることで冷却水槽２０内の冷却水を撹拌するものである。撹拌装置２３は、冷却水槽２０の上縁に架設した支持板２３ａの上面に撹拌モータ２３ｂを備えている。撹拌モータ２３ｂにより回転する回転軸２３ｃは支持板２３ａを貫通して螺旋状の飲料冷却管２２の内側中央部となる位置で冷却水槽２０内に延び、回転軸２３ｃの先端には冷却水を撹拌する撹拌羽根２３ｄが固定されている。撹拌モータ２３ｂにより回転軸２３ｃを回転させると、回転軸２３ｃの先端部の撹拌羽根２３ｄが冷却水槽２０内の螺旋状の飲料冷却管２２の内側で回転する。冷却水槽２０内の冷却水は撹拌羽根２３ｄの回転によって螺旋状の飲料冷却管２２の内側から底部を通って螺旋状の飲料冷却管２２の外側に流れ、螺旋状の飲料冷却管２２の外側と螺旋状の蒸発管３３の内側との間を上昇し、螺旋状の飲料冷却管２２の内側に再び流入する。
【００１５】
図３及び図４に示したように、冷却水槽２０の右側前部にはオーバーフロー部４０が設けられており、オーバーフロー部４０は冷却水槽２０内の所定の水位を超える冷却水を溢出させて排水する機能を有している。オーバーフロー部４０は、冷却水槽２０の上部から下側に延びて所定の水位を超えて溢出する冷却水を下側に流す溢出口４１ａを有した溢出管部４１と、溢出管部４１に接続されたアダプタ４２と、アダプタ４２に接続されて冷却水をハウジング１１外に排出する排水管部４５とを備えている。オーバーフロー部４０は排水管部４５の下部を除いて冷却水槽２０の断熱材２１に埋設されている。
【００１６】
図３に示したように、溢出管部４１は冷却水槽２０の右側前部に一体的に形成され、溢出管部４１の上部には所定の水位を超える冷却水を溢出させる溢出口４１ａが形成されている。溢出管部４１は冷却水槽２０の右側前部で下側に延びており、溢出管部４１の下部にはアダプタ４２が接続されている。アダプタ４２は、上側アダプタ４３と、下側アダプタ４４とを備えている。上側アダプタ４３は、溢出管部４１の下部に連通接続されて上下に延びる内側管部４３ａと、内側管部４３ａの外周部に一体的に形成されたフランジ部４３ｂとから構成されている。内側管部４３ａのフランジ部４３ｂより上側には下側よりも径を太く形成した接続部４３ｃを備え、アダプタ４２は接続部４３ｃを溢出管部４１に嵌合させて溢出管部４１に連通接続されている。
【００１７】
上側アダプタ４３のフランジ部４３ｂには下側アダプタ４４が嵌合固定されている。下側アダプタ４４は内側管部４３ａの外周面及び下縁と離間した状態で内側管部４３ａの外側を覆う外側管部４４ａを備えている。外側管部４４ａは内側管部４３ａの下端より下側に延び、内側管部４３ａの下端から落下した冷却水は外側管部４４ａで受けられるようになっている。内側管部４３ａの下端は外側管部４４ａと離間しているため、内側管部４３ａから少ない流量で流れ落ちる冷却水は外側管部４４ａと連続していない状態で流れ落ちるようになっている。外側管部４４ａの下部には径を細くした接続部４４ｂが形成されており、接続部４４ｂには排水管部４５が接続されている。排水管部４５の上部の導入端部は接続部４４ｂに接続され、図１に示したように、排水管部４５の下部の導出端部はハウジング１１の前面に設けたドレンパン１３の上側に延びている。冷却水槽２０から溢出した冷却水は溢出管部４１とアダプタ４２とを通って排水管部４５に導かれ、排水管部４５に導かれた水は導出端部の先端の排水口４５ａからハウジング１１の前面に設けたドレンパン１３で受けられる。
【００１８】
図１及び図２に示したように、注出コック５０は、飲料をグラスやジョッキ等の容器に注ぎ出すものであり、コック本体５２と、コック本体５２内に収容された弁機構部５３と、弁機構部５３を開閉操作する操作レバー５４と、飲料を注ぎ出す注出ノズル５５とを備えている。コック本体５２はハウジング１１の前側でコック取付軸５１に着脱可能に取り付けられている。コック本体５２の上部には操作レバー５４が設けられており、操作レバー５４は弁機構部５３を開閉操作するものである。操作レバー５４は略鉛直に起立した中立位置に付勢されており、操作レバー５４が中立位置にあるときには、弁機構部５３は閉止状態となっている。操作レバー５４を中立位置から前側に傾動させると、弁機構部５３は液注出用に開放され、操作レバー５４を中立位置から後側に傾動させると、弁機構部５３は泡注出用に開放される。コック本体５２の下部には注出ノズル５５が設けられており、注出ノズル５５は前側に泡状態の飲料を注出する泡注出ノズル５５ａと、後側に液状態の飲料を注出する液注出ノズル５５ｂとを備えている。泡注出ノズル５５ａと液注出ノズル５５ｂの内部は弁機構部５３により開閉自在にコック本体５２の飲料通路と連通している。操作レバー５４を中立位置から前側に傾動させると、弁機構部５３は液注出用に開放され、飲料冷却管２２から送出される飲料はコック本体５２の飲料通路を通って液注出ノズル５５ｂから注出される。操作レバー５４を中立位置から後側に傾動させると、弁機構部５３は泡注出用に開放され、飲料冷却管２２から送出される飲料はコック本体５２の飲料通路を通って泡注出ノズル５５ａから注出される。
【００１９】
上記のように構成した飲料ディスペンサ１０の作動について説明する。この飲料ディスペンサ１０では、蒸発管３３の周囲に所定の厚みの氷が形成されていないときに冷凍装置３０が作動されるように制御されている。冷凍装置３０では、圧縮機３１から凝縮器３２に送られた気化冷媒は凝縮器３２で凝縮して液化冷媒となり、液化冷媒はキャピラリチューブによって膨張した状態で蒸発管３３で気化し、気化した冷媒は気化熱により周囲の冷却水を冷却して圧縮機３１に戻る。冷却水槽２０内の冷却水は冷媒回路を循環する冷媒によって冷却されて蒸発管３３の周囲で凍結し、蒸発管３３の周囲で所定の厚みの氷が形成されると冷凍装置３０の作動を停止させるように制御されている。
【００２０】
また、冷却水槽２０内の冷却水は撹拌装置２３の作動によって飲料冷却管２２の内側と外側を循環し、飲料冷却管２２の外側に配置された蒸発管３３の周囲を通過するときに冷却されている。飲料冷却管２２内を通過する飲料は蒸発管３３の周囲を通過するときに冷却された冷却水が循環することによって冷却されている。注出コック５０の操作レバー５４を用いてコック本体５２内の弁機構部５３を開放操作すると、ビア樽等の飲料容器内の飲料はホースを通って飲料冷却管２２に送られ、飲料冷却管２２を通過するときに冷却されて注出コック５０の各注出ノズル５５ａ、５５ｂからグラス等の容器に注出される。
【００２１】
上記のように構成した飲料ディスペンサ１０では、冷却水槽２０内の冷却水は周囲の空気に含まれる水分が冷却水により冷却されて凝縮するために増加することがある。このために、冷却水槽２０には所定の水位を超える冷却水を排水するオーバーフロー部４０が設けられている。この飲料ディスペンサ１０のオーバーフロー部４０は、冷却水槽２０の上部に配置されて所定の水位を超えて溢出する冷却水を下側に流す溢出口４１ａと、溢出口部４１ａから流れる冷却水を下側に流す内側管部４３ａと、内側管部４３ａの外周部に設けたフランジ部４３ｂと、フランジ部４３ｂから内側管部４３ａの外周面及び下端（下縁）と離間した状態で内側管部４３ａの外側を覆うように下側に延びる外側管部４４ａとを備えている。この実施形態では、冷却水槽２０の上部に溢出口４０ａから下側に延びる溢出管部４１を設け、内側管部４３ａの上部を構成する接続部４３ｃを溢出管部４１の下部に連通接続させるとともに、内側管部４３ａの外周面にフランジ部４３ｂを一体的に形成し、外側管部４４ａの上端部をフランジ部４３ａに嵌合固定するとともに、外側管部４４ａの下部を構成する接続部４４ｂに冷却水をハウジング１１の外側に排出する排水管部４５を連通接続した。
【００２２】
排水管部４５の下端の排水口４５ａから流入した虫が排水管部４５の内周面に沿って上側に登ったときに、排水管部４５の内周面から外側管部４４ａの内周面に沿って登るものの、外側管部４４ａの内周面の上縁は内側管部４３ａの下縁と接続されることなくフランジ部４３ｂで止まり、外側管部４４ａの内周面に沿って登った虫は内側管部４３ａに沿って侵入できなくなる。このようにしたことで、オーバーフロー部４０からハウジング１１内に虫が侵入するのを防ぐことができた。
【００２３】
また、冷却水槽２０内の冷却水がオーバーフロー部４０から排出されたときに、内側管部４３ａの下縁が外側管部４４ａに離間しているために、冷却水は内側管部４３ａから外側管部４４ａに連続していない状態で流れ落ちる。このとき、冷却水槽２０内の冷却水に撹拌装置２３の撹拌モータ２３ｂから漏電により電流が流れても、冷却水槽２０内の冷却水に漏電により流れた電流がオーバーフロー部４０の冷却水によってハウジング１１の外壁及び外側の金属部品に（外側に）伝わらないようにすることができた。
【００２４】
また、内側管部４３ａとフランジ部４３ｂとを上側アダプタ４３として一体的に形成し、フランジ部４３ｂに下側アダプタ４４の外側管部４４ａの上端部を嵌合させてアダプタ４２とした。オーバーフロー部４０は、上記のように組み付けたアダプタ４２を溢出管部４１と排水管部４５との間に取り付けることにより、上述した作用効果を得ることができ、オーバーフロー部４０に簡単に上記の機能を付与することができた。特に、溢出管部４１に排水管部４５を直接接続させていた従来の飲料ディスペンサに、アダプタ４２を溢出管部４１と排水管部４５との間に取り付けることで、従来の飲料ディスペンサにも上述した作用効果を付与することができるようになった。また、溢出管部４１と上側アダプタ４３の接続部分、上側アダプタ４３と下側アダプタ４４の接続部分、下側アダプタ４４と排水管部４５の接続部分は発泡材２１に埋設されているため、各接続部分は発泡材２１内で強固に接続されるようになっている。
【符号の説明】
【００２５】
１０…飲料冷却装置（飲料ディスペンサ）、１１…ハウジング、２０…冷却水槽、２２…飲料冷却管、２３…撹拌装置、４０…オーバーフロー部、４１…溢出管部、４１ａ…溢出口、４３ａ…内側管部、４３ｂ…フランジ部、４４ａ外側管部、４５…排水管部。
【図１】
2020019498.tif 000003
【図２】
2020019498.tif 000004
【図３】
2020019498.tif 000005
【図４】
2020019498.tif 000006